(57)【要約】【課題】バンドを斜め掛けしたときのバンドの変形や破損を抑制可能なトレーの提供を目的とする。【解決手段】本発明のトレー１０は、平面視矩形状をなし、外縁部のうち互いに対向する１対の長辺部にベルト８５を掛けるための複数の切欠部３０を備えている。切欠部３０のうちトレー１０の内側の端部は、トレー１０の内側に突出する平面視円弧状に形成されている。そして、１対の長辺部のうち一方の長辺部に備えられた切欠部３０の内側の端部における円弧の先端は、トレー１０の短辺方向から見て、他方の長辺部に備えられた切欠部３０の内側の端部における円弧の先端と重ならない位置に配置されている。【選択図】図３
2019026364.tif 000002
【特許請求の範囲】
【請求項１】
平面視矩形状をなし、外縁部のうち互いに対向する１対の辺部にベルトを掛けるための複数の切欠部を備えるトレーであって、
前記切欠部のうち前記トレーの内側の端部は、前記トレーの内側に突出する平面視円弧状に形成され、
前記１対の辺部のうち一方の辺部に備えられた前記切欠部の内側の端部における円弧の先端が、前記１対の辺部の対向方向から見て、他方の辺部に備えられた前記切欠部の内側の端部における円弧の先端と重ならない位置に配置されているトレー。
【請求項２】
請求項１に記載のトレーにおいて、
前記切欠部の縁部には、該縁部における前記トレーの内側の端部を外側の端部よりも上側に配置する高低差形成部位が備えられているトレー。
【請求項３】
請求項２に記載のトレーにおいて
前記高低差形成部位は、前記トレーの内側へ向かうにつれて上側へ向かうように傾斜するスロープで構成されているトレー。
【請求項４】
請求項２又は３に記載のトレーにおいて、
前記切欠部の縁部には、その切欠部を備える前記トレーの辺部に沿って略水平に延びる第１水平部及び第２水平部が備えられ、
前記第２水平部は、前記第１水平部に対して上側かつ前記トレーの内側に配置され、
前記第１水平部と前記第２水平部が前記高低差形成部位によって連絡されているトレー。
【請求項５】
請求項４に記載のトレーにおいて、
前記第１水平部及び前記高低差形成部位は、前記第２水平部を挟むように対をなして設けられ、
前記切欠部は、平面視で、前記トレーの内側へ向かうにつれて幅狭となる略三角形状に形成されているトレー。
【請求項６】
請求項１乃至５のうち何れか１の請求項に記載のトレーにおいて、
前記トレーの外周部のうち前記切欠部に近接する部位には、前記トレーの上面と交差する段差面を介して前記トレーの上面に連続する陥没面が備えられ、
前記段差面には、水平面内で屈曲する屈曲部が少なくとも１つ形成されているトレー。
【発明の詳細な説明】
【技術分野】
【０００１】
本発明は、ベルトを掛けるための切欠部を外縁部に有するトレーに関する。
【背景技術】
【０００２】
特許文献１に開示のトレーは、矩形状をなす主板の外側面に主板の厚み方向に延在する複数の切欠溝を備えている。このトレーでは、主板の上に載置された荷物が複数の切欠溝に掛けられたベルトによって固定される。
【先行技術文献】
【特許文献】
【０００３】
【特許文献１】特開２００６−８９０８３号公報（［００３３］、図２，３）
【発明の概要】
【発明が解決しようとする課題】
【０００４】
特許文献１のトレーでは、主板の辺部に対して斜めとなるようにバンドが斜め掛けにされると、バンドが切欠溝の角部に押し寄せられて変形したり破損したりするという問題があった。
【０００５】
本発明は、上記事情に鑑みてなされたもので、バンドを斜め掛けしたときのバンドの変形や破損を抑制可能なトレーの提供を目的とする。
【課題を解決するための手段】
【０００６】
上記目的を達成するためになされた請求項１の発明は、平面視矩形状をなし、外縁部のうち互いに対向する１対の辺部にベルトを掛けるための複数の切欠部を備えるトレーであって、前記切欠部のうち前記トレーの内側の端部は、前記トレーの内側に突出する平面視円弧状に形成され、前記１対の辺部のうち一方の辺部に備えられた前記切欠部の内側の端部における円弧の先端が、前記１対の辺部の対向方向から見て、他方の辺部に備えられた前記切欠部の内側の端部における円弧の先端と重ならない位置に配置されているトレーである。
【０００７】
請求項２の発明は、請求項１に記載のトレーにおいて、前記切欠部の縁部には、該縁部における前記トレーの内側の端部を外側の端部よりも上側に配置する高低差形成部位が備えられているトレーである。
【０００８】
請求項３の発明は、請求項２に記載のトレーにおいて前記高低差形成部位は、前記トレーの内側へ向かうにつれて上側へ向かうように傾斜するスロープで構成されているトレーである。
【０００９】
請求項４の発明は、請求項２又は３に記載のトレーにおいて、前記切欠部の縁部には、その切欠部を備える辺部に沿って略水平に延びる第１水平部及び第２水平部が備えられ、前記第２水平部は、前記第１水平部に対して上側かつ前記トレーの内側に配置され、前記第１水平部と前記第２水平部が前記高低差形成部位によって連絡されているトレーである。
【００１０】
請求項５の発明は、請求項４に記載のトレーにおいて、前記第１水平部及び前記高低差形成部位は、前記第２水平部を挟むように対をなして設けられ、前記切欠部は、平面視で、前記トレーの内側へ向かうにつれて幅狭となる略三角形状に形成されているトレーである。
【００１１】
請求項６の発明は、請求項１乃至５のうち何れか１の請求項に記載のトレーにおいて、前記トレーの外周部のうち前記切欠部に近接する部位には、前記トレーの上面と交差する段差面を介して前記トレーの上面に連続する陥没面が備えられ、前記段差面には、水平面内で屈曲する屈曲部が少なくとも１つ形成されているトレーである。
【発明の効果】
【００１２】
［請求項１の発明］
本発明では、切欠部のうちトレーの内側の端部が、トレーの内側に突出する平面視円弧状に形成されているので、バンドを斜め掛けしたときのバンドの変形や破損が抑制される。しかも、１対の辺部の対向方向から見て、一方の辺部に備えられた切欠部の内側の端部における円弧の先端が他方の辺部に備えられた切欠部の内側の端部における円弧の先端と重ならない位置に配置されるので、切欠部に掛けられたバンドを１対の辺部の対向方向に対して斜めに配置し易くなる。
【００１３】
［請求項２，３の発明］
本発明では、切欠部の縁部におけるトレーの内側の端部が外側の端部よりも上側に配置されるので、切欠部の縁部の下方に、指を入り込ませるための隙間を形成することができる。これにより、載置されたトレーの持ち上げが容易となる。特に、切欠部の縁部に、トレーの内側へ向かうにつれて上側へ向かうように傾斜するスロープが形成されている構成とすれば、切欠部にバンドを巻き掛ける際に、スロープによってバンドを切欠部の奥深くへ誘導することが可能となり、バンドの巻き掛けが容易となる（請求項３の発明）。
【００１４】
［請求項４の発明］
本発明では、切欠部の縁部に、その切欠部を備える辺部に沿って略水平に延びる第１水平部と第２水平部を備えることで、切欠部の縁部の強度アップが図られる。
【００１５】
［請求項５の発明］
本発明によれば、切欠部を備える辺部に沿った方向と上下方向の両方で、切欠部の奥側、即ち、トレーの内側にバンドを案内することが可能となり、切欠部にバンドが掛かりやすくなる。
【００１６】
［請求項６の発明］
本発明では、切欠部の近くに設けられた段差面に水平面内で屈曲する屈曲部が少なくとも１つ設けられているので、切欠部によるトレーの強度低下を屈曲部によって補うことが可能となる。
【図面の簡単な説明】
【００１７】
【図１】本発明の一実施形態に係るトレーを上方から見た斜視図
【図２】トレーを下方から見た斜視図
【図３】トレーの平面図
【図４】トレーの切欠部周辺の（Ａ）平面図、（Ｂ）側面図
【図５】トレーの切欠部周辺の側断面図
【図６】トレーの陥没部周辺の平面図
【図７】段積みされたトレーの斜視図
【図８】段積みされたトレーの側断面図
【図９】段積みされたトレーの側面図
【図１０】積載物を載置したトレーの平面図
【図１１】他の実施形態に係る陥没部の平面図
【発明を実施するための形態】
【００１８】
図１に示されるように、本実施形態のトレー１０は、容器を裏返しにした形状をなし、天板１１と、天板１１の外縁部から垂下した外周壁１２と、を備えている。天板１１は、平面視略矩形状に形成されていて、外周壁１２は、天板１１の短辺部から垂下した１対の短辺側壁１３，１３と、天板１１の長辺部から垂下した１対の長辺側壁１４，１４と、を備えている。
【００１９】
天板１１の上面には、トレー１０の積載物９０（図１０参照）を収容する複数の収容部２１が形成されている。収容部２１は、天板１１の一部を下方に陥没させてなる。そして、図２に示されるように、天板１１の下面のうち収容部２１の裏側に位置する部分に、裏側突部２２が形成されている。
【００２０】
詳細には、各収容部２１は、平面視矩形状の第１凹部２１Ａと、第１凹部２１Ａよりも天板１１の短辺方向に長くなった第２凹部２１Ｂと、第１凹部２１Ａよりも天板１１の短辺方向に短くなった第３凹部２１Ｃと、からなる。第１凹部２１Ａ、第２凹部２１Ｂ及び第３凹部２１Ｃは、天板１１の短辺方向に順番に並べられている。より詳細には、天板１１の長辺方向で隣り合う２つの収容部２１の間では、第１凹部２１Ａ、第２凹部２１Ｂ及び第３凹部２１Ｃの並び順が逆になっている。なお、天板１１の下面に形成されている裏側突部２２は、第１凹部２１Ａに対応する第１突部２２Ａと、第２凹部２１Ｂに対応する第２突部２２Ｂと、第３凹部２１Ｃに対応する第３突部２２Ｃと、からなる（図２参照）。
【００２１】
また、図１に示されるように、第２凹部２１Ｂの底面には、複数の底面凹部２３が形成されている。底面凹部２３は、第２凹部２１Ｂの底壁を陥没させてなる。そして、図２に示されるように、天板１１の下面のうち底面凹部２３の裏側に位置する部分に、係合突部２４が形成されている。係合突部２４は、トレー１０がパレット８０（図１０参照）に載置されたときに、パレット８０のデッキ面８０Ｍに形成された図示しない係合孔と係合する。これにより、パレット８０に載置されたトレー１０の位置ずれが抑えられる。
【００２２】
図３に示されるように、本実施形態のトレー１０は、その外縁部において互いに対向する辺部に切欠部３０を備える。具体的には、天板１１の各長辺部には、短辺方向に凹んだ側辺凹部１６が形成されていて、長辺側壁１４には、側辺凹部１６の縁部から下方に延びる内壁３１が形成されている（図１，２）。そして、内壁３１の下端縁によって囲まれる部分に切欠部３０が形成されている。なお、図１，５に示されるように、外周壁１２の下端部には、外周壁１２の全周に亘って、トレー１０の外側に突出する下端リブ１２Ｋが設けられていて、その下端リブ１２Ｋが内壁３１の下端部にも形成されている。
【００２３】
切欠部３０は、トレー１０の各長辺部に複数ずつ設けられていて、一方の長辺部に設けられた切欠部３０は、短辺方向から見て、他方の長辺部に設けられた切欠部３０とは重ならない位置に配置されている。具体的には、図３のトレー１０において同図の上側に示される長辺部では、左側の端部に切欠部３０が備えられると共に、その切欠部３０から右側へ所定間隔ごとに他の切欠部３０が並べられ、右側の端部には、切欠部３０が備えられていない。一方、図３のトレー１０において同図の下側に示される長辺部では、右側の端部に切欠部３０が備えられると共に、その切欠部３０から左側へ所定間隔ごとに他の切欠部３０が並べられ、左側の端部には、切欠部３０が備えられていない。なお、各切欠部３０は、トレー１０の短辺方向で収容部２１の第３凹部２１Ｃに突き合わされるように配置されている。また、各長辺部において隣り合う２つの切欠部３０，３０に挟まれた部分には、それら２つの切欠部３０が突き合わされる２つの収容部２１，２１の間に挟まれた収容部２１の第１凹部２１Ａが配置されている。
【００２４】
図４（Ａ）に示されるように、切欠部３０の平面形状は、トレー１０の内側、即ち、切欠部３０の開放端と反対側（以下、「切欠部３０の奥側」という。）へ向かうにつれて幅狭となる略三角形状となっている。そして、切欠部３０の奥側の端部は、平面視で、天板１１の内側に膨出する円弧状に形成されている。
【００２５】
具体的には、側辺凹部１６は、平面視で、トレー１０の内側（詳細には、天板１１の短辺方向の中心側）へ向かうにつれて幅狭となる略三角形状に形成されていて、その三角形の頂点部分に、トレー１０の内側に膨出する円弧部１６Ａを備え、三角形の底辺寄り部分に、トレー１０の内側へ向かって互いに近づくように傾斜した１対の誘導傾斜部１６Ｂ，１６Ｂを備えている。また、内壁３１の平面形状は、側辺凹部１６と同様に、トレー１０の内側へ向かうにつれて幅狭となる略三角形状となっていて、三角形の頂点部分に、トレー１０の内側へ膨出する円弧壁３２を備え、三角形の底辺寄り部分に、トレー１０の内側へ向かって互いに近づくように傾斜した誘導傾斜壁３３，３３を備えている。
【００２６】
図４（Ｂ）及び図５に示されるように、円弧壁３２の上下方向の長さは略一定となっている。また、誘導傾斜壁３３は、切欠部３０の開口端を形成する開口端形成部３３Ａと、開口端形成部３３Ａと円弧壁３２とを連絡する連絡部３３Ｂと、で構成されている。開口端形成部３３Ａの上下方向の高さは略一定となっていて、開口端形成部３３Ａの下端縁は、円弧壁３２の下端縁よりも下方に配置されている。また、連絡部３３Ｂは、切欠部３０の開放端側へ向かうにつれて上下方向に長くなり、連絡部３３Ｂの下端縁は、切欠部３０の開放端側へ向かうにつれて下方へ下るように傾斜する。そして、切欠部３０の縁部において、開放端形成部３３Ａの下端縁が、トレー１０の長辺方向に沿って略水平に配置される第１水平部４１を構成し、円弧壁３２の下端縁が、トレー１０の長辺方向に沿って略水平に配置される第２水平部４２を構成する。また、切欠部３０において、連絡部３３Ｂの下端縁は、切欠部３０の奥側へ向かうにつれて上側へ向かうように傾斜するスロープ４３を構成する。
【００２７】
図３，６に示されるように、天板１１の外周部のうち切欠部３０に近接する部位には、陥没部５０が形成されている。詳細には、陥没部５０は、天板１１の隅部に配置され、天板１１の長辺方向で収容部２１（詳細には、第１凹部２１Ａ）との間に切欠部３０を挟む。具体的には、図３に示されるように、トレー１０では、同図の左上隅部と右下隅部に陥没部５０が設けられていて、同図の上側に示される長辺部では、陥没部５０が最も左側の切欠部３０に近接配置され、同図の下側に示される長辺部では、陥没部５０が最も右側の切欠部３０に近接配置されている。
【００２８】
なお、詳細には、陥没部５０に近接配置される切欠部３０は、他の切欠部３０と異なり、平面形状がトレー１０の長辺方向で非対称となっている（図４（Ａ），６参照）。具体的には、陥没部５０に近接配置される切欠部３０において陥没部５０に近い側の縁部を構成する誘導傾斜壁３３は、陥没部５０から離れた側の縁部を構成する誘導傾斜壁３３よりもトレー１０の短辺に対する傾斜が小さくなっている。
【００２９】
図１，６に示されるように、陥没部５０は、天板１１の一部を段付き状に陥没させてなり、陥没部５０の内側面は、天板１１と交差する段差面５１となっている。そして、陥没部５０の底面が、段差面５１を介して天板１１の上面に連続する陥没面５２となっている。
【００３０】
本実施形態では、陥没部５０は、平面視略矩形状をなすメイン陥没部５０Ａと、帯状をなしてメイン陥没部５０Ａに連絡する複数のサブ陥没部５０Ｂと、からなる。各サブ陥没部５０Ｂは、メイン陥没部５０Ａのコーナー部から該コーナー部を挟む２辺のうち一方の辺を延長する方向に延びている。図６に示される例では、陥没部５０は、３つのサブ陥没部５０Ｂを備え、２つのサブ陥没部５０Ｂは、直線状に形成され、１つの陥没部５０Ｂは、Ｌ字状に形成されている。そして、陥没部５０の段差面５１（図６には、３つの段差面５１が示されている。）には、水平面内で屈曲する屈曲部５３が少なくとも１つ設けられている。
【００３１】
図７〜９には、トレー１０が上下に段積みされたときの様子が示されている。トレー１０が上下に段積みされると、下側のトレー１０の収容部２１に上側のトレー１０の裏側突部２２が収容される（図８参照）。なお、ここで、切欠部３０を囲む内壁３１は、下側へ向かうにつれて切欠部３０の内側へ向かうように傾斜していて、上側のトレー１０の内壁３１は、下側のトレー１０の内壁３１に切欠部３０の内側から重ねられる（図９参照）。
【００３２】
図８に示されるように、上側のトレー１０の裏側突部２２は、下側のトレー１０の収容部２１の深さ方向の途中位置まで入り込んで収容部２１に嵌合される。そして、上側のトレー１０の天板１１が下側のトレー１０の天板１１に対して浮き上がり、上側のトレー１０の外周壁１２の下端と下側のトレー１０の外周壁１２の下端との間に隙間が生じる。ここで、本実施形態では、切欠部３０におけるトレー１０の内側の端部が外側の端部よりも上側に配置されているので、作業者は、下側のトレー１０と上側のトレー１０との間に指を入り込ませて上側のトレー１０を持ち上げ易くなり、段積みされたトレー１０をばらばらにする作業が容易となる。また、本実施形態では、切欠部３０におけるトレー１０の内側の端部が外側の端部よりも上側に配置されているので、最下段のトレー１０において、切欠部３０の縁部の下方に形成される隙間を広くとることができる。これにより、最下段のトレー１０を持ち上げ易くなる。
【００３３】
図１０には、本実施形態のトレー１０の使用形態の一例が示されている。同図の例では、トレー１０は、パレット８０の上に載置され、トレー１０の各収容部２１に積載物９０が収容されている。なお、上述したように、トレー１０は、係合突部２４がパレット８０のデッキ面の係合孔（図示せず）と係合することで、パレット８０に対して位置決めされる。
【００３４】
各収容部２１に収容された積載物９０は、以下のようにして固定される。即ち、複数の積載物９０の上に押え板８１が載せられ、その押え板８１がバンド８５によって上側から押え付けられる。バンド８５は、トレー１０の短辺方向に対して斜めに配置され、トレー１０の各長辺部に設けられた切欠部３０に掛けられる。バンド８５の両端部は、例えば、パレット８０のデッキ面８０Ｍに取り付けられたバンド固定部材８２に固定される。なお、バンド８５の固定の別の例としては、パレット８０のフォーク挿通孔等に挿通されて、バンド８５の両端部同士が固定されることが挙げられる。
【００３５】
トレー１０の別の使用形態としては、パレット８０を用いずに、バンド８５をトレー１０に巻きつけてもよい。バンド８５がトレー１０の短辺に対して斜めに配置される点は、図１０に示される使用形態と同様である。このとき、バンド８５は、トレー１０と積載物９０を縛るように巻き付けられ、バンド８５の両端部同士が固定される。なお、積載物９０の大きさ、形状等によっては、押え板８１を用いずに、バンド８５で積載物９０を直に押さえ付けてもよい。
【００３６】
本実施形態のトレー１０の構成に関する説明は以上である。次に、トレー１０の作用効果について説明する。
【００３７】
本実施形態のトレー１０では、切欠部３０のうちトレー１０の内側の端部がトレー１０の内側に突出する平面視円弧状に形成されているので、バンド８５を斜め掛けしたときのバンド８５の変形や破損が抑制される。しかも、トレー１０の短辺方向（即ち、天板１１の短辺方向）から見て、一方の長辺部に備えられた切欠部３０の内側の端部における円弧の先端（円弧壁３２の頂点）が他方の長辺部に備えられた切欠部３０の内側の端部における円弧の先端（円弧壁３２の頂点）と重ならない位置に配置されるので、切欠部３０に掛けられたバンド８５をトレー１０の短辺方向に対して斜めに配置し易くなる。
【００３８】
また、本実施形態のトレー１０では、図５に示されるように、切欠部３０の縁部におけるトレー１０の内側の端部が外側の端部よりも上側に配置されるので、切欠部３０の縁部の下方に、指を入り込ませるための隙間を形成することができる。これにより、地面に載置されたトレー１０の持ち上げが容易となる。また、トレー１０が段積みされた場合（図７〜９参照）には、トレー１０をばらばらにする作業が容易となる。しかも、切欠部３０の縁部には、トレー１０の内側へ向かうにつれて上側へ向かうように傾斜するスロープ４３が形成されているので、トレー１０と積載物９０を縛るようにバンド８５を巻きつける場合には、スロープ４３によってバンド８５を切欠部３０の奥深くへ誘導することが可能となり、バンド８５の巻き掛けが容易となる。さらに、切欠部３０は、平面視で、トレー１０の内側へ向かうにつれて幅狭となる略三角形状に形成されているので、水平方向と上下方向の両方で、切欠部３０の奥側、即ち、トレー１０の内側にバンド８５を案内することが可能となり、切欠部３０にバンド８５が掛かりやすくなる。
【００３９】
また、本実施形態のトレー１０では、切欠部３０の縁部にトレー１０の長辺方向に沿って略水平に延びる第１水平部４１と第２水平部４２を備えることで、切欠部３０の縁部の強度アップが図られる。さらに、本実施形態では、切欠部３０の近くに、天板１１の上面と交差する段差面５１を介して天板１１の上面に連続する陥没面５２が備えられていて、段差面５１に水平面内で屈曲する屈曲部５３が少なくとも１つ設けられているので、切欠部３０によるトレー１０の強度低下を屈曲部５３によって補うことが可能となっている。
【００４０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）上記実施形態では、トレー１０に掛けられるバンド８５が複数本であったが、１本であってもよい。この場合、バンド８５は、天板１１の対角線に沿って配置されることが好ましい。
【００４２】
（２）上記実施形態において、連絡部３３Ｂの下端縁に段差を設けて、その段差を境に連絡部３３Ｂの高さが段付き状に変化する構成としてもよい。この場合、当該段差が本発明の「高低差形成部位」となる。
【００４３】
（３）上記実施形態において、陥没部５０は、トレー１０の長辺方向で隣り合う切欠部３０同士の間に配置されてもよい。また、上記実施形態において、陥没部５０を備えない構成としてもよい。
【００４４】
（４）上記実施形態において、陥没部５０の平面形状は、Ｌ字状であってもよいし（図１１（Ａ）参照）、クランク状であってもよいし、コの字状であってもよい。また、陥没部５０の平面形状は、図１１（Ｂ）に示されるように、矩形状のメイン陥没部５０Ａの各辺部から直線状のサブ陥没部５０Ｂが張り出した形状であってもよい。
【符号の説明】
【００４５】
１０    トレー
１１    天板
１２    外周壁
３０    切欠部
３１    内壁
３２    円弧壁
３３    誘導傾斜壁
４１    第１水平部
４２    第２水平部
４３    スロープ
５０    陥没部
８５    ベルト
【図１】
2019026364.tif 000003
【図２】
2019026364.tif 000004
【図３】
2019026364.tif 000005
【図４】
2019026364.tif 000006
【図５】
2019026364.tif 000007
【図６】
2019026364.tif 000008
【図７】
2019026364.tif 000009
【図８】
2019026364.tif 000010
【図９】
2019026364.tif 000011
【図１０】
2019026364.tif 000012
【図１１】
2019026364.tif 000013